(57)【特許請求の範囲】
【請求項１】
ユーザ端末に管理サーバから情報提供するために、
前記ユーザ端末において、
受付手段は、ネットワーク上で公開される情報と、当該情報の利用分類と、を含む登録指示を受け付けるステップと、
登録手段は、前記登録指示に基づいて前記情報のブックマークを登録するとともに、前記情報および前記利用分類を含むブックマーク登録データを、前記管理サーバに送信するステップと、を有し、
前記管理サーバにおいて、
管理データベースは、前記ユーザ端末の前記ブックマーク登録データを記憶するステップと、
管理手段は、前記ユーザ端末から前記ブックマーク登録データを受け付けて、前記管理データベースに記憶するステップと、を有する情報提供方法において、
関連ブックマーク取得手段において、前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するステップと、
表示手段において、前記ユーザ端末に登録された前記ブックマーク登録データに前記関連ブックマークが含まれる場合に当該ブックマーク登録データを前記ユーザ端末に表示するステップと、
を有することを特徴とする情報提供方法。
【請求項２】
前記表示手段は、
前記閲覧中のＷｅｂサイトの表示と共に前記ブックマーク登録データを表示するステップを有することを特徴とする請求項１に記載の情報提供方法。
【請求項３】
前記ブックマーク登録データは、
ＵＲＬ、タイトル、画像のいずれかを含むことを特徴とする請求項１または２に記載の情報提供方法。
【請求項４】
ユーザ端末に管理サーバから情報提供するために、
前記ユーザ端末は、
ネットワーク上で公開される情報と、当該情報の利用分類と、を含む登録指示を受け付ける受付手段と、
前記登録指示に基づいて前記情報のブックマークを登録するとともに、前記情報および前記利用分類を含むブックマーク登録データを、前記管理サーバに送信する登録手段と、を有し、
前記管理サーバは、
前記ユーザ端末の前記ブックマーク登録データを記憶する管理データベースと、
前記ユーザ端末から前記ブックマーク登録データを受け付けて、前記管理データベースに記憶する管理手段と、を有する情報提供システムにおいて、
前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するための関連ブックマーク取得手段と、
前記ユーザ端末に登録された前記ブックマーク登録データに前記関連ブックマークが含まれる場合に当該ブックマーク登録データを前記ユーザ端末に表示するための表示手段と、
を備えることを特徴とする情報提供システム。
【請求項５】
ユーザ端末に管理サーバから情報提供するために、
前記ユーザ端末において、
受付手段は、ネットワーク上で公開される情報と、当該情報の利用分類と、を含む登録指示を受け付けるステップと、
登録手段は、前記登録指示に基づいて前記情報のブックマークを登録するとともに、前記情報および前記利用分類を含むブックマーク登録データを、前記管理サーバに送信するステップと、を有し、
前記管理サーバにおいて、
管理データベースは、前記ユーザ端末の前記ブックマーク登録データを記憶するステップと、
管理手段は、前記ユーザ端末から前記ブックマーク登録データを受け付けて、前記管理データベースに記憶するステップと、を有するコンピュータが読み取り可能な情報提供プログラムであって、
関連ブックマーク取得手段において、前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するステップと、
表示手段において、前記ユーザ端末に登録された前記ブックマーク登録データに前記関連ブックマークが含まれる場合に当該ブックマーク登録データを前記ユーザ端末に表示するステップと、
して前記コンピュータを機能させることを特徴とする情報提供プログラム。
【発明の詳細な説明】
【技術分野】
【０００１】
本発明は、閲覧中のＷｅｂサイトに関連したブックマーク登録データを提供するための情報提供方法およびシステム、プログラムに関する。
【背景技術】
【０００２】
近年、ＷＷＷ（Ｗｏｒｌｄ  Ｗｉｄｅ  Ｗｅｂ）の発展により個人が多種多様な情報を入手可能となっており、その結果、有益で再度利用したいと思う情報を蓄積するようになってきている。インターネットではブックマークという形式で、情報の場所（ＵＲＩ：Ｕｎｉｆｏｒｍ  Ｒｅｓｏｕｒｃｅ  Ｉｄｅｎｔｉｆｉｅｒ、もしくはＵＲＬ：Ｕｎｉｆｏｒｍ  Ｒｅｓｏｕｒｃｅ  Ｌｏｃａｔｏｒ）、Ｗｅｂサイトタイトル、保存時刻などを自己の保有するコンピュータや、あるいはインターネットに接続可能な携帯電話などの移動情報端末に保管できるようになっている。
【０００３】
しかしながら、このように有益な情報を継続的に蓄積し、蓄積数が膨大になると、その情報を再度利用しようとした際に多数のブックマークの中から目的とするブックマークを見つけることが難しくなり、結果その情報に到達することも難しい。
【０００４】
そこで、従来においてはその解決方法の１つとして、ブックマークに付与したタイトル情報を利用して検索を行うことができるものがある。すなわちタイトルに含まれている文字列をユーザが入力し、その文字列が含まれるブックマークを検索して抽出するものである。
【０００５】
しかし、この場合でもユーザはＷｅｂサイト作成者が付与したタイトル、もしくは登録時に自らが付与したタイトルを思い出し、その記憶を頼りにブックマークの検索を実行する必要があるため、タイトルのつけ方が曖昧であるとその情報に到達することは難しい。
【０００６】
また、検索が実行可能な場合は、その情報をブックマークとして蓄積していたこと自体を記憶していた場合に限られるので、その情報を蓄積したこと自体を忘れてしまった場合は検索そのものを実行できない。
【０００７】
そこで、保存した情報の再活用を可能にする手法として、位置情報を利用したものが知られている。この手法は、ネットワーク上の情報に含まれる店舗などの住所といった位置情報を緯度経度に置き換え、ユーザがその緯度経度で示される登録位置の付近にいるときにユーザに知らせることで情報の再活用を可能にするものである（特許文献１参照）。
【特許文献１】特開２００２−１３２７９５号公報
【発明の開示】
【発明が解決しようとする課題】
【０００８】
しかしながら従来技術においては、再活用したい情報は位置情報に対応するものばかりではなく、たとえば飲食店などの店舗情報などは位置情報での対応可能ではあるものの、位置情報に関連が無い情報については対応が難しかった。例えば「ある特定の携帯電話機を購入したい」とか「ＨＴＭＬに関する情報が載っているＷｅｂサイト」などの情報は位置情報に対応することが無いため、位置情報に関連付けして該当する登録情報を想起することはできなかった。
【０００９】
また、検索キーワードを用いて保有するブックマークを検索することは可能であるものの、ユーザがＷｅｂサイトのタイトルを記憶していない場合などでは、検索キーワードを選定すること自体が難しかった。
【００１０】
本発明は上記課題に鑑みてなされたものであり、その目的は、閲覧中のＷｅｂサイトに関連したブックマーク登録データを提供することにある。
【課題を解決するための手段】
【００１１】
上記課題を解決するために、請求項１に記載の本発明は、ユーザ端末に管理サーバから情報提供するために、前記ユーザ端末において、受付手段は、ネットワーク上で公開される情報と、当該情報の利用分類と、を含む登録指示を受け付けるステップと、登録手段は、前記登録指示に基づいて前記情報のブックマークを登録するとともに、前記情報および前記利用分類を含むブックマーク登録データを、前記管理サーバに送信するステップと、を有し、前記管理サーバにおいて、管理データベースは、前記ユーザ端末の前記ブックマーク登録データを記憶するステップと、管理手段は、前記ユーザ端末から前記ブックマーク登録データを受け付けて、前記管理データベースに記憶するステップと、を有する情報提供方法において、関連ブックマーク取得手段において、前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するステップと、表示手段において、前記ユーザ端末に登録された前記ブックマーク登録データに前記関連ブックマークが含まれる場合に当該ブックマーク登録データを前記ユーザ端末に表示するステップと、を有する。
【００１２】
また、請求項２に記載の本発明は、請求項１において、前記表示手段は、前記閲覧中のＷｅｂサイトの表示と共に前記ブックマーク登録データを表示するステップを有する。
【００１３】
また、請求項３に記載の本発明は、請求項１または２において、前記ブックマーク登録データは、ＵＲＬ、タイトル、画像のいずれかを含む。
【００１４】
また、請求項４に記載の本発明は、ユーザ端末に管理サーバから情報提供するために、前記ユーザ端末は、ネットワーク上で公開される情報と、当該情報の利用分類と、を含む登録指示を受け付ける受付手段と、前記登録指示に基づいて前記情報のブックマークを登録するとともに、前記情報および前記利用分類を含むブックマーク登録データを、前記管理サーバに送信する登録手段と、を有し、前記管理サーバは、前記ユーザ端末の前記ブックマーク登録データを記憶する管理データベースと、前記ユーザ端末から前記ブックマーク登録データを受け付けて、前記管理データベースに記憶する管理手段と、を有する情報提供システムにおいて、前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するための関連ブックマーク取得手段と、前記ユーザ端末に登録された前記ブックマーク登録データに前記関連ブックマークが含まれる場合に当該ブックマーク登録データを前記ユーザ端末に表示するための表示手段と、を備える。
【００１５】
また、請求項５に記載の本発明は、ユーザ端末に管理サーバから情報提供するために、前記ユーザ端末において、受付手段は、ネットワーク上で公開される情報と、当該情報の利用分類と、を含む登録指示を受け付けるステップと、登録手段は、前記登録指示に基づいて前記情報のブックマークを登録するとともに、前記情報および前記利用分類を含むブックマーク登録データを、前記管理サーバに送信するステップと、を有し、前記管理サーバにおいて、管理データベースは、前記ユーザ端末の前記ブックマーク登録データを記憶するステップと、管理手段は、前記ユーザ端末から前記ブックマーク登録データを受け付けて、前記管理データベースに記憶するステップと、を有するコンピュータが読み取り可能な情報提供プログラムであって、関連ブックマーク取得手段において、前記ユーザ端末にて閲覧中のＷｅｂサイトのＵＲＬに基づいて、前記ブックマーク登録データの利用分類が前記Ｗｅｂサイトの利用分類と同じブックマークを前記管理データベースから抽出し、関連ブックマークとして取得するステップと、表示手段において、前記ユーザ端末に登録された前記ブックマーク登録データに前記関連ブックマークが含まれる場合に当該ブックマーク登録データを前記ユーザ端末に表示するステップと、して前記コンピュータを機能させる。
【発明の効果】
【００１６】
本発明によれば、閲覧中のＷｅｂサイトに関連したブックマーク登録データを提供することができる。
【発明を実施するための最良の形態】
【００１７】
＜第１の実施の形態＞
図１は、情報提供システムの実施の形態に係る全体構成図を示している。
【００１８】
この図１には、情報提供システムの利用者であるユーザが操作するためのユーザ端末１と、インターネットなどのネットワーク３と、ブックマーク情報管理サーバ２と、が示されている。
【００１９】
さらにユーザ端末１には、情報表示部４と、ＵＲＬ取得部５と、ブックマーク管理部６と、通信部７と、画像生成部８と、ブックマーク記憶部９と、Ｗｅｂサイト画像記憶部１０と、が備わる。
【００２０】
また、ブックマーク情報管理サーバ２には、通信部２０と、ブックマーク管理部２１と、関連ブックマーク選定部２２と、ブックマーク管理データベース２３と、関連ブックマーク管理データベース２４と、が備わる。
【００２１】
このような図１に示す構成においては、ユーザ端末１とブックマーク情報管理サーバ２は、それぞれインターネットなどのネットワーク３を介して互いに通信可能に接続されている。
【００２２】
このユーザ端末１に備わるブックマーク記憶部９には、ユーザがユーザ端末１を介して日常的にネットワーク３上に存在する図示しないＷｅｂサイトへアクセスして検索を行い、そこで重要なＷｅｂサイトを発見したとき、その情報を再度利用するためにそのＵＲＬ、タイトル情報、登録日時などを記載した、いわゆるブックマークが登録されている。
【００２３】
そして、図２に示す情報提供システムの実施の形態に係るブックマーク情報処理のフロー図に参照されるように、ブックマーク管理部６を介してブックマーク記憶部９にブックマーク情報が追加された時（Ｓ１００）、そのＵＲＬに対応する画像がＷｅｂサイト画像記憶部１０にあるかないかが判断される（Ｓ１０１）。画像がなければ、画像生成部８は以下の２つの方法のどちらかでそのＷｅｂサイトのイメージ画像を生成する（Ｓ１０２）。
【００２４】
このＳ１０２における画像生成方法は、図示しないユーザがユーザ端末１を介してアクセス時に利用したブラウザに表示されている画像情報をそのまま利用する方法である。ユーザによるブックマーク登録時にはユーザ端末１の画面上にそのＷｅｂサイトが表示されているため、その画像情報を利用し、画像生成部８はＷｅｂサイト画像記憶部１０にそのブックマークが示すＵＲＬのＷｅｂサイト画像を登録する。
【００２５】
また、他の画像生成方法は、ブックマーク登録時に画像生成部８が当該ＵＲＬに対して再度ネットワークを介してアクセスを行い、Ｗｅｂサイト画像を生成する方法である。生成された画像は１つ目の方法と同様、Ｗｅｂサイト画像記憶部１０にそのブックマークが示すＵＲＬのＷｅｂサイト画像を登録する方法である。
【００２６】
次の図３には、情報提供システムの実施の形態に係るブックマーク情報処理のフロー図を示している。
【００２７】
まず、ユーザがユーザ端末１のブラウザでＷｅｂサイトを閲覧したとき、そのＵＲＬ情報をＵＲＬ取得部５が取得する（図３中のＳ１００１）。
【００２８】
つぎに、取得されたＵＲＬは通信部７を介してブックマーク情報管理サーバ２へ送付し、関連ＵＲＬ群の受信を待機する（Ｓ１００２、Ｓ１００３）。
【００２９】
つぎに、ブックマーク情報管理サーバ２では、ユーザ端末１より受信したＵＲＬ情報を基に、当該ＵＲＬと関連のあるＷｅｂサイトを関連ブックマーク管理データベース２４に問い合わせる（Ｓ１００４、Ｓ１００５）。
【００３０】
関連するＷｅｂサイトがあった場合、それら関連ブックマーク情報をユーザ端末１に送信する。ここで図４に示すフロー図を用いて本処理の一例を説明する。
【００３１】
まず、ブックマーク情報管理サーバ２では、ユーザ端末からのＵＲＬを通信部を介して受信する（図４中のＳ１１０１）。
【００３２】
つぎに、ブックマーク管理部２１ではブックマーク管理データベース２３に受信したＵＲＬが登録されているか確認する。ここで登録されていなければユーザ端末１には関連するＵＲＬが無い旨を通知し、新たに受信したＵＲＬに対してＵＲＬ＿ＩＤを付与し、登録する。当該ＵＲＬがブックマーク管理データベース２３に登録されていれば、そのＵＲＬ＿ＩＤを取得する（Ｓ１１０２、Ｓ１１０３、Ｓ１１０４、Ｓ１１０５）。
【００３３】
なお、図６にブックマーク管理データベース２３の構成例を示す。ブックマーク管理データベース２３を構成するデータベースとして、ＵＲＬ＿ＩＤと、それに対応するＵＲＬおよびブックマーク初期登録日時でデータテーブルを構成している。ＵＲＬ＿ＩＤを指定することにより、それに対応するＵＲＬとブックマーク初期登録日時を得ることができる。
【００３４】
また、図７に関連ブックマーク管理データベース２４の構成例を示す。この関連ブックマーク管理データベース２４は図６に示したブックマーク管理データベース２３におけるＵＲＬ＿ＩＤのそれぞれに対応して関連する関連ＵＲＬ＿ＩＤをデータベースとして構成している。
【００３５】
つぎに、関連ブックマーク選定部２２では、当該ＵＲＬ＿ＩＤに関連する関連ＵＲＬ＿ＩＤが関連ブックマーク管理データベース２４に登録されているか問い合わせを行う。関連ＵＬＲ＿ＩＤが登録されていなければユーザ端末１には関連するＵＲＬが無い旨を通知する。関連ＵＲＬ＿ＩＤが存在した場合、その関連ＵＲＬ＿ＩＤをブックマーク管理データベース２３に照会し、ＵＲＬを取得する（Ｓ１１０６、Ｓ１１０７、Ｓ１１０８）。
【００３６】
つぎに、取得したＵＲＬは通信部から要求元のユーザ端末に対して送信される（Ｓ１１０９）。ブックマーク情報管理サーバ２内のこの一連の処理によりユーザ端末１は関連ブックマーク群を取得できる。
【００３７】
つぎに、関連ブックマークを受信したユーザ端末１では、それらの関連ブックマーク群に含まれるＵＲＬと同一のＵＲＬを持つブックマークを保持しているかユーザ端末１内のブックマーク記憶部９に確認する（図３中のＳ１００４、Ｓ１００５）。
【００３８】
つぎに、一致するＵＲＬが存在した場合、そのＵＲＬが保存されているブックマークと同一の分類（フォルダ）にあるユーザ自身が登録したブックマークを抽出する（Ｓ１００６）。
【００３９】
つぎに、抽出されたブックマークの画像をＷｅｂサイト画像記憶部１０から取得する。もしＷｅｂサイト画像記憶部１０に画像が無ければ画像生成部８に画像生成を依頼し、Ｗｅｂサイト画像の再取得を行う（Ｓ１００７、Ｓ１００８）。
【００４０】
前述までの処理により取得された情報を、情報表示部にてブックマークに含まれる情報とＷｅｂサイト画像を図５に示すようにユーザ端末上の画面に表示する（Ｓ１００９）。
【００４１】
なお、本実施の形態ではユーザ端末１の情報表示部４にポップアップ方式でブックマークを表示させることでユーザに通知している。なおブックマークに含まれる情報は、ブックマークタイトル、ＵＲＬ、ブックマーク登録日などの情報である。このように関連するＷｅｂサイトを閲覧した時に、動きがあり、かつブックマーク登録した時のＷｅｂサイト画像を含む登録済みブックマーク情報をユーザに再提示させることで、視覚的に記憶しているサイトを思い出すことが可能となり、ユーザはブックマーク群に埋もれていて活用できていないブックマーク群を再活用することが可能となる。なおこのポップアップ部をクリックすることで当該ＵＲＬが示すＷｅｂサイトにアクセスすることが可能となる。
【００４２】
＜第２の実施の形態＞
すでに説明した第１の実施の形態では、ユーザ端末１からＵＲＬを送信し、それに対する複数の関連ブックマークを受信するため、関連ブックマークの数が増加するとデータ量が膨大になる恐れがある。そこでＵＲＬを直接送受信しないことで、ブックマーク管理サーバ２が利用するネットワーク３の利用帯域を削減する方式について説明する。
【００４３】
ユーザ端末１にてブックマークを登録するときに、ブックマーク情報管理サーバ２に対して登録するブックマークのＵＲＬを送信する。ブックマーク管理データベース２３では当該ＵＲＬが登録済みかどうか確認し、登録済みであればそのＵＲＬ＿ＩＤをユーザ端末１に返信し、未登録であればそのＵＲＬに新規ＵＲＬ＿ＩＤを付与して追加してユーザ端末１に返信する。
【００４４】
ユーザ端末１内のブックマーク管理部６では、ブックマーク記憶部９にブックマークを登録する際に、ブックマーク情報管理サーバ２より取得したＵＲＬ＿ＩＤ情報もあわせて登録しておく。
【００４５】
ユーザ端末１にてブラウザによりＷｅｂサイトを閲覧したとき、そのＵＲＬ情報をＵＲＬ取得部５が取得する。取得されたＵＲＬは通信部７を介してブックマーク情報管理サーバ２へ送付し、関連ブックマークの受信を待機する。
【００４６】
つぎに、ブックマーク情報管理サーバ２では、当該ＵＲＬに対応するＵＲＬ＿ＩＤがあるかブックマーク管理データベース２３に照会し、存在しなければ関連ブックマークがない旨をユーザ端末１に返信する。対応するＵＲＬ＿ＩＤが存在した場合は、当該ＵＲＬ＿ＩＤに対応する関連ＵＲＬ＿ＩＤが存在するか関連ブックマーク管理データベース２４に照会する。関連ＵＲＬ＿ＩＤが存在しなければ関連ＵＲＬがない旨をユーザ端末１に返信し、関連するＵＲＬ＿ＩＤが存在した場合は、その関連ＵＲＬ＿ＩＤ群をユーザ端末１に送信する。
【００４７】
つぎに、関連ＵＲＬ＿ＩＤ群を受信したユーザ端末１では、それらの関連ＵＲＬ＿ＩＤと同一のＵＲＬ＿ＩＤを持つブックマークを保持していないかユーザ端末１内のブックマーク記憶部に確認する。
【００４８】
つぎに、一致するＵＲＬ＿ＩＤが存在した場合、そのＵＲＬ＿ＩＤが保存されているブックマークと同一の分類（フォルダ）にあるユーザ自身が登録したブックマークを抽出する。
【００４９】
つぎに、抽出されたブックマークの画像をＷｅｂサイト画像記憶部１０から取得する。もしＷｅｂサイト画像記憶部１０に画像が無ければ画像生成部８が再取得を行う。
【００５０】
そして、ここまでの処理により取得された情報を、情報表示部４にてブックマークに含まれる情報とＷｅｂサイト画像をユーザ端末１の情報表示部４が備える画面に表示する。なお、ここで表示する内容は、たとえば図５に示す配置で実行されるのが好ましい。図５（１）にはオペレーティングシステム画面３０にブラウザ画面３１が表示されており、このブラウザ画面３１に表示されるＷｅｂサイトに関する表示情報（ブックマーク群）はポップアップ領域３２に表示される。
【００５１】
ポップアップ領域３２にはＷｅｂサイトイメージ（画像）３３と保有するブックマーク情報３４が表示される。この表示項目としては、たとえばＷｅｂサイトイメージ、ブックマーク（ＢＭ）タイトル、ＵＲＬ、登録日などが設定される。
【００５２】
さらに、図５（２）に示すように、１つのオペレーティングシステム画面３０内に複数のポップアップ領域３２、３２’、３２’’を設けてもよく、縦方向に積み重なる表示などを設定してもよい。
【００５３】
以上述べたように、ブックマーク登録時にＵＲＬ＿ＩＤを取得し、ブックマーク記憶部９に登録しておくことで関連ＵＲＬ群をＵＲＬ＿ＩＤで受信することが可能となり、ブックマーク管理サーバ２が利用するネットワーク３の利用量の削減が可能となる。
【００５４】
＜第３の実施の形態＞
すでに説明した第１と第２の実施の形態では、ユーザ端末１上でのＷｅｂアクセスの都度に、アクセス先ＵＲＬをブックマーク情報管理サーバ２に送信するため、ブックマーク情報管理サーバ２が受信するデータ数が多くサーバ負荷が重くなってしまう。
【００５５】
また、すべてのアクセスをブックマーク情報管理サーバ２に送り関連ブックマークを受信するため、ユーザ端末１からはアクセスを監視されている状態になる可能性もある。そのためＷｅｂアクセスごとにブックマーク情報管理サーバ２にアクセス先の情報を送信しない方式について第３の実施の形態として以下に述べる。
【００５６】
ユーザ端末１がブックマークを登録するときに、ブックマーク情報管理サーバ２に対して登録するブックマークを送信する。ユーザ端末１からのブックマーク情報を受信したブックマーク情報管理サーバ２では、当該ＵＲＬに関連するＵＲＬがあるか関連ブックマーク管理データベース２４に問い合わせ、管理するブックマークがあればその関連ブックマーク群をユーザ端末１に返信する。
【００５７】
関連ブックマーク群を受信したユーザ端末１では、それらの関連ブックマークをユーザ端末１内のブックマーク記憶部９に登録する。
【００５８】
ユーザ端末１がブラウザでＷｅｂサイトを閲覧したとき、そのＵＲＬ情報をＵＲＬ取得部５が取得する。取得されたＵＲＬについて、そのＵＲＬに対する関連ブックマークがユーザ端末１内のブックマーク記憶部９にあるかブックマーク管理部６が問い合わせる。一致する関連ブックマークがある場合、その関連ブックマークを取得する基となっている登録済みブックマークをブックマーク記憶部９より取得する。
【００５９】
すなわち、あるＡというブックマークを登録したときにブックマーク情報管理サーバ２から受信した関連ブックマークがＡ１からＡ８であったとき、ブックマークＡ８のＵＲＬと同一のＵＲＬをユーザ端末１で閲覧した時に、ユーザ端末１から予め登録されていたブックマークＡをブックマーク記憶部９より取得することになる。
【００６０】
つぎに、抽出された関連ＵＲＬブックマークの画像をＷｅｂサイト画像記憶部１０から取得し、もしＷｅｂサイト画像記憶部１０に画像が無ければ画像生成部８が再取得を行う。
【００６１】
ここまでの処理により取得された情報を、情報表示部４にてブックマークに含まれる情報とＷｅｂサイト画像を図５（１）、（２）に示したようにユーザ端末１上の情報表示部４の画面に表示する。
【００６２】
このように、ブックマーク登録時に関連ブックマークを取得することでユーザ端末１においてＷｅｂアクセスの実行の都度において、ブックマーク情報管理サーバ２に対してアクセス先ＵＲＬ情報を送信して関連ブックマークを受信する必要が無くなり、ブックマーク情報管理サーバ２へのアクセス数の削減、及びユーザ端末１のプライバシ保護に貢献することが可能となる。
【００６３】
なお上記方法において、Ｂというブックマークを登録したときにブックマーク情報管理サーバ２から受信したブックマークがＢ１、Ｂ２、Ｂ３、Ａ８というように他のブックマークの登録時に受信した関連ブックマークと同一のブックマークを受信することがある。この場合、ユーザ端末１がブックマークＡ８のＵＲＬと同一のＵＲＬにアクセスした場合、ＡとＢの２つのブックマークが抽出されユーザ端末１に通知されることとなる。
【００６４】
また上記方法において、ブックマーク登録時のみ関連ブックマークを受信すると、その後ブックマーク情報管理サーバ２に追加・更新された関連ブックマーク情報を反映することができない。
【００６５】
そこで、ユーザ端末１内のブックマーク管理部６において定期的にブックマーク情報をブックマーク情報管理サーバ２に送信し、関連ブックマーク情報を定期的に更新することも可能である。
【００６６】
また上記方法において、ブックマーク登録時に、ユーザ端末１が同じフォルダに登録したブックマーク群をブックマーク情報管理サーバ２に通知することで、そのブックマークを相互に関連ブックマークとして扱うことも可能である。つまりＣというブックマークを登録するときに、そのブックマークを登録するフォルダにＤというブックマークが存在したとき、ブックマークＣの登録時にそのフォルダにはブックマークＤも存在することをブックマーク情報管理サーバ２に通知する。
【００６７】
受信したブックマーク情報管理サーバでは、ブックマークＣとブックマークＤが同じフォルダに登録されたことから、これらを関連ブックマークとして登録することができる。これにより他のユーザ端末１からのブックマークＣに対する関連ブックマーク情報の取得要求に対し、ブックマークＤを関連ブックマークとして返信することができる。
【図面の簡単な説明】
【００６８】
【図１】第１の実施の形態に係る、全体構成図を示す。
【図２】第１の実施の形態に係る、ブックマーク情報処理のフロー図を示す。
【図３】第１の実施の形態に係る、ブックマーク情報処理のフロー図を示す。
【図４】第１の実施の形態に係る、ブックマーク情報処理のフロー図を示す。
【図５】実施の形態に係る、画面表示例を示す。
【図６】実施の形態に係る、ブックマーク管理データベースの構成例を示す。
【図７】実施の形態に係る、関連ブックマーク管理データベースの構成例を示す。
【符号の説明】
【００６９】
１…ユーザ端末
２…ブックマーク情報管理サーバ
３…ネットワーク
４…情報表示部
５…ＵＲＬ取得部
６、２１…ブックマーク管理部
７、２０…通信部
８…画像生成部
９…ブックマーク記憶部
１０…Ｗｅｂサイト画像記憶部
２２…関連ブックマーク選定部
２３…ブックマーク管理データベース
２４…関連ブックマーク管理データベース
【図１】
0004624956.tif 000002
【図２】
0004624956.tif 000003
【図３】
0004624956.tif 000004
【図４】
0004624956.tif 000005
【図５】
0004624956.tif 000006
【図６】
0004624956.tif 000007
【図７】
0004624956.tif 000008